(57)【要約】【課題】  本発明は、複数の記録媒体の使用が可能で、かつ選択された記録媒体に対して動作不能な際に、他の記録媒体にて代替動作を実行することが可能な撮像装置、設定方法および情報処理方法を提供する。【解決手段】  「記録先の設定メニュー」画面から記録媒体が選択されると、デジタルカメラ１は、選択された記録媒体の状態（結露等）を検出し、動作可能であるかを判断し、動作可能ならば、選択された記録媒体に優先的に記録するよう登録する。又、結露等により動作不可能な場合、理由と動作不可能な旨を通知する。この通知と共に、選択されなかったもう記録媒体の状態（結露等）を検出し、動作可能であるかを判断する。動作可能ならば、代わりの記録媒体を記録先に設定するかを問合せ、ユーザの同意が得られたら、選択されなかった記録媒体に優先的に記録するよう登録する。【選択図】  図２
2006094230.tif 000002
【特許請求の範囲】
【請求項１】
記録あるいは再生する対象として、内蔵あるいは着脱可能なハードディスク装置と、内蔵あるいは着脱可能な不揮発性メモリのいずれかの記録媒体を選択する選択手段と、
この選択手段により選択された記録媒体が記録あるいは再生可能な状態であるかを判定する判定手段と、
この判定手段にて記録あるいは再生可能な状態であると判定されると、上記選択手段によって選択された記録媒体を記録あるいは再生する対象として設定し、上記判定手段にて記録あるいは再生可能な状態ではないと判定されると、上記選択手段によって選択されなかった記録媒体を記録あるいは再生する対象として設定する制御手段と、
を有することを特徴とする撮像装置。
【請求項２】
記録あるいは再生する対象として、内蔵あるいは着脱可能なハードディスク装置と、内蔵あるいは着脱可能な不揮発性メモリのいずれかの記録媒体を選択する選択手段と、
この選択手段により選択された記録媒体が記録あるいは再生可能な状態であるかを判定する判定手段と、
この判定手段にて記録あるいは再生可能な状態ではないと判定されると、上記選択手段によって選択されなかった記録媒体を対象とするかを問合せる問合手段と、
上記判定手段にて記録あるいは再生可能な状態であると判定されると、上記選択手段によって選択された記録媒体を記録あるいは再生する対象として設定し、上記問合手段による問い合わせに対して対象とするよう指示されると、上記選択されなかった記録媒体を記録あるいは再生する対象として設定する制御手段と、
を有することを特徴とする撮像装置。
【請求項３】
着脱可能な不揮発性メモリに対して音声あるいは映像に関する情報を記録再生する記録再生装置において、
音声あるいは映像に関する情報を記録再生するハードディスク装置と、
記録あるいは再生する対象として上記不揮発性メモリと上記ハードディスク装置のいずれかの記録媒体を選択する選択手段と、
この選択手段により上記ハードディスク装置が選択されると上記ハードディスク装置において障害が発生しているかを検出する障害検出手段と、
この障害検出手段により上記ハードディスク装置の障害が検出されると上記選択手段によって選択されなかった上記不揮発性メモリへの記録あるいは再生を実行する制御手段と、
を有することを特徴とする撮像装置。
【請求項４】
上記選択手段により上記不揮発性メモリが選択されると上記不揮発性メモリが記録あるいは再生可能な状態であるかを判定する判定手段を更に有し、
上記制御手段は、更に、上記判定手段により上記不揮発性メモリが記録あるいは再生可能な状態ではないと判定されると上記選択手段によって選択されなかった上記ハードディスク装置への記録あるいは再生を実行するものであることを特徴とする請求項３記載の撮像装置。
【請求項５】
上記制御手段は、
上記判定手段により上記不揮発性メモリが記録あるいは再生可能な状態ではないと判定されると、上記選択手段によって選択されなかった上記ハードディスク装置の記録あるいは再生の実行可否を問合せる問合手段と、
この問合手段による問い合わせに対して実行が指示されると、上記ハードディスク装置への記録あるいは再生を実行する実行手段と、
を有することを特徴とする請求項４記載の撮像装置。
【請求項６】
上記制御手段は、
上記障害検出手段により上記ハードディスク装置の障害が検出されると、上記選択手段によって選択されなかった上記不揮発性メモリへの記録あるいは再生の実行可否を問合せる問合手段と、
この問合手段による問い合わせに対して実行が指示されると、上記不揮発性メモリへの記録あるいは再生を実行する実行手段と、
を有することを特徴とする請求項３記載の撮像装置。
【請求項７】
内蔵あるいは着脱可能なハードディスク装置および内蔵あるいは着脱可能な不揮発性メモリにおいて映像あるいは音声に関する情報を記録あるいは再生する撮像装置における設定方法において、
記録あるいは再生する対象として上記ハードディスク装置と上記不揮発性メモリのいずれかの記録媒体を選択するステップと、
この選択された記録媒体が記録あるいは再生可能な状態であるかを判定するステップと、
この判定ステップにて記録あるいは再生可能な状態ではないと判定されると、上記選択ステップで選択されなかった記録媒体を記録あるいは再生する対象として設定するステップと、
を有することを特徴とする設定方法。
【請求項８】
内蔵あるいは着脱可能なハードディスク装置および内蔵あるいは着脱可能な不揮発性メモリにおいて映像あるいは音声に関する情報を記録あるいは再生する撮像装置における情報処理方法において、
記録あるいは再生する対象として上記不揮発性メモリと上記ハードディスク装置のいずれかの記録媒体を選択するステップと、
この選択ステップにより上記ハードディスク装置が選択されると上記ハードディスク装置において障害が発生しているかを検出するステップと、
この検出ステップにより上記ハードディスク装置の障害が検出されると上記選択されなかった上記不揮発性メモリへの記録あるいは再生を実行するステップと、
を有することを特徴とする情報処理方法。
【発明の詳細な説明】
【技術分野】
【０００１】
本発明は、内蔵あるいは外付けのハードディスク及びその他のメモリに対して記憶あるいは読出しが可能な撮像装置に関し、特にハードディスクに結露等の障害が検出された時の記憶あるいは読出し操作に関する設定方法および情報処理方法。
【背景技術】
【０００２】
近年、ハードディスクを搭載し、大量の映像や音声情報を記憶可能な記録再生装置が、携帯可能に形成されたり、車載機として等、広く用いられており、様々な環境で動作することが求められている。そこで、例えば、ハードディスクを備えた車載情報処理装置において、結露や低温等によりハードディスクの書込み障害が生じた場合に不揮発性メモリへ一時保存し、障害が解消すると、不揮発性メモリからハードディスクへ保存内容を移すシステムが考えられている（例えば、特許文献１参照）。
【特許文献１】特開２０００−２５１３９６公報
【発明の開示】
【発明が解決しようとする課題】
【０００３】
しかしながら、従来の装置では、ハードディスクが常に主メモリであり、不揮発性メモリはハードディスクが書込困難な状態の時のみ書き込むための一時保存用の予備メモリであり、ハードディスクが常に優先されて書き込まれる構成となっている。従って、不揮発性メモリがハードディスクに優先されて書き込まれる構成については何ら考慮されていない。
【０００４】
本発明は、以上の点に鑑みなされたもので、複数の記録媒体の使用が可能で、かつ選択された記録媒体に対して動作不能な際に、他の記録媒体にて代替動作を実行することが可能な撮像装置、設定方法および情報処理方法を提供することを目的とする。
【課題を解決するための手段】
【０００５】
上記目的を達成するために、本発明の撮像装置は、記録あるいは再生する対象として、内蔵あるいは着脱可能なハードディスク装置と、内蔵あるいは着脱可能な不揮発性メモリのいずれかの記録媒体を選択する選択手段と、この選択手段により選択された記録媒体が記録あるいは再生可能な状態であるかを判定する判定手段と、この判定手段にて記録あるいは再生可能な状態であると判定されると、上記選択手段によって選択された記録媒体を記録あるいは再生する対象として設定し、上記判定手段にて記録あるいは再生可能な状態ではないと判定されると、上記選択手段によって選択されなかった記録媒体を記録あるいは再生する対象として設定する制御手段と、を有することを特徴とする。
【０００６】
上記目的を達成するために、本発明の撮像装置は、記録あるいは再生する対象として、内蔵あるいは着脱可能なハードディスク装置と、内蔵あるいは着脱可能な不揮発性メモリのいずれかの記録媒体を選択する選択手段と、この選択手段により選択された記録媒体が記録あるいは再生可能な状態であるかを判定する判定手段と、この判定手段にて記録あるいは再生可能な状態ではないと判定されると、上記選択手段によって選択されなかった記録媒体を対象とするかを問合せる問合手段と、上記判定手段にて記録あるいは再生可能な状態であると判定されると、上記選択手段によって選択された記録媒体を記録あるいは再生する対象として設定し、上記問合手段による問い合わせに対して対象とするよう指示されると、上記選択されなかった記録媒体を記録あるいは再生する対象として設定する制御手段と、を有することを特徴とする。
【０００７】
上記目的を達成するために、本発明の撮像装置は、着脱可能な不揮発性メモリに対して音声あるいは映像に関する情報を記録再生する記録再生装置において、音声あるいは映像に関する情報を記録再生するハードディスク装置と、記録あるいは再生する対象として上記不揮発性メモリと上記ハードディスク装置のいずれかの記録媒体を選択する選択手段と、この選択手段により上記ハードディスク装置が選択されると上記ハードディスク装置において障害が発生しているかを検出する障害検出手段と、この障害検出手段により上記ハードディスク装置の障害が検知されなければ上記ハードディスク装置への記録あるいは再生を実行し、上記障害検出手段により上記ハードディスク装置の障害が検出されると上記選択手段によって選択されなかった上記不揮発性メモリへの記録あるいは再生を実行する制御手段と、を有することを特徴とする。
【０００８】
上記目的を達成するために、本発明の設定方法は、内蔵あるいは着脱可能なハードディスク装置および内蔵あるいは着脱可能な不揮発性メモリにおいて映像あるいは音声に関する情報を記録あるいは再生する撮像装置における設定方法において、記録あるいは再生する対象として上記ハードディスク装置と上記不揮発性メモリのいずれかの記録媒体を選択するステップと、この選択された記録媒体が記録あるいは再生可能な状態であるかを判定するステップと、この判定ステップにて記録あるいは再生可能な状態ではないと判定されると、上記選択ステップで選択されなかった記録媒体を記録あるいは再生する対象として設定するステップと、を有することを特徴とする。
【０００９】
上記目的を達成するために、本発明の情報処理方法は、内蔵あるいは着脱可能なハードディスク装置および内蔵あるいは着脱可能な不揮発性メモリにおいて映像あるいは音声に関する情報を記録あるいは再生する撮像装置における情報処理方法において、記録あるいは再生する対象として上記不揮発性メモリと上記ハードディスク装置のいずれかの記録媒体を選択するステップと、この選択ステップにより上記ハードディスク装置が選択されると上記ハードディスク装置において障害が発生しているかを検出するステップと、この検出ステップにより上記ハードディスク装置の障害が検出されると上記選択されなかった上記不揮発性メモリへの記録あるいは再生を実行するステップと、を有することを特徴とする。
【発明の効果】
【００１０】
本発明によれば、複数の記録媒体の使用が可能で、かつ選択された記録媒体に対して動作不能な際に、他の記録媒体にて代替動作を実行することができる。
【発明を実施するための最良の形態】
【００１１】
以下、この発明の実施の形態について、図面を参照して詳細に説明する。図１は、この実施の形態に係る撮像装置としてのデジタルカメラ１の全体構成の一例を示すブロック図である。尚、このデジタルカメラ１は、図示していない被写体光を固体撮像素子に取り込むための光学レンズ系、被写体の測光と測距による光学レンズ系の焦点や絞り調整、及びシャッタ駆動等を有しているが、本発明に直接関係しないために説明は省略する。
【００１２】
図１に示すように、デジタルカメラ１では、図示していない、固体撮像素子において、被写体像を光電変換して生成したアナログ撮像信号をデジタル撮像信号に変換したＡ／Ｄ出力信号がカメラ信号処理回路１１に入力される。カメラ信号処理回路１１は、入力されたＡ／Ｄ出力信号にホワイトバランス調整、ガンマ補正、補間処理、色変換処理等を施し、この処理されたデジタル画像信号をＪＰＥＧ／ＭＰＥＧ圧縮伸張回路１２へと供給する。
【００１３】
ＪＰＥＧ／ＭＰＥＧ圧縮伸張回路１２は、入力されたデジタル画像信号をＪＰＥＧ（静止画像の場合）またはＭＰＥＧ（動画像の場合）の方式により圧縮あるいは伸張する。そして、このＪＰＥＧ／ＭＰＥＧ圧縮伸張回路１２からの圧縮画像データは、メモリ１３に一時記録された後、複数ある記録媒体のいずれか選択された記録媒体に記録される。
【００１４】
本実施の形態では、第１の記録媒体としてハードディスク（以下、ＨＤＤと称する）１４と、第２の記録媒体として薄型メモリカード（例えばＳＤメモリカード）１５を取り扱うことができるものとする。そして、ＨＤＤ１４およびＳＤメモリカード１５について、ともにデジタルカメラ１の図示せぬ挿入部へ挿入するタイプの外付けメモリとして以下説明するが、これに限らず、デジタルカメラ１に内蔵されたものでも良い。
【００１５】
結露検出部１６は、例えば温度検出器や湿度検出器などを単独又は組み合わせて構成されており、予め設定されたタイミングでＨＤＤ１４に結露が生じているかを検出して検出信号を出力し、メモリ１３に検出結果が一時記録される。
【００１６】
ビデオデコーダ回路１７は、メモリ１３に一時記録されている圧縮画像データをデコード処理し、ＬＣＤ（液晶表示パネル）ドライバ回路１８へと供給する。ＬＣＤドライバ回路１８は、このデコードされた画像信号を基にＬＣＤ１９を駆動制御する。また、前記ビデオデコーダ回路１７は、ＨＤＤ１４またはＳＤメモリカード１５に記録されている圧縮画像データを読み出し、ＪＰＥＧ／ＭＰＥＧ圧縮伸張回路１２において伸張した画像データを基にＬＣＤ１９に再生表示させることもできる。
【００１７】
ＬＡＮコントローラ２０は、ＨＤＤ１４あるいはＳＤメモリカード１５に記録されている圧縮画像データをＬＡＮ出力端子２１からＬＡＮ回線を介して外部へ転送することを制御する。ＵＳＢコントローラ２２は、ＨＤＤ１４あるいはＳＤメモリカード１５に記録されている圧縮画像データをＵＳＢ出力端子２３からＵＳＢ回線を介して外部へ転送することを制御する。
【００１８】
操作入力部２４は、ユーザの操作に応じた制御信号をメモリ１３に出力する。操作入力部２４は、例えば複数のボタンで構成されており、撮影の実行を指示するためのシャッターボタン、撮影した画像信号の再生を指示するための再生ボタン、設定メニューの表示を指示するためのメニューボタン、設定項目を選択する場合等の使用される十字ボタン、およびメニュー内容の決定を指示するための決定ボタン等からなる。
【００１９】
ＣＰＵ２５は、デジタルカメラ１の全体駆動を制御するマイクロプロセッサ等で構成されている。本実施の形態では、ユーザにより操作入力部２４からの指示に基づき、後述する設定画面にて、記録あるいは再生する記録媒体を選択することができる。そして、ＣＰＵ２５は、ＨＤＤ１４およびＳＤメモリカード１５のいずれか選択された記録媒体に対して、記録または再生等の情報処理を実行するよう制御する。
【００２０】
即ち、このデジタルカメラ１による静止画像／動画像の撮像時には、ＣＰＵ２５の制御のもと、固体撮像素子において光電変換された静止画像／動画像信号は、アナログからデジタルに変換されてカメラ信号処理回路１１に入力される。このカメラ信号処理回路１１において、デジタル静止画像／動画像信号は所定の信号処理が施されて、ＪＰＥＧ／ＭＰＥＧ圧縮伸張回路１２へと出力される。
【００２１】
このＪＰＥＧ／ＭＰＥＧ圧縮伸張回路１２において圧縮処理された静止画像／動画像データは、メモリ１３に一時記録され、その一時記録された静止画像／動画像データは、ビデオデコーダ回路１７によりデコード処理されてＬＣＤドライバ回路１８を介して、ＬＣＤ１９に撮像された静止画像／動画像が再生表示されると共に、ＨＤＤ１４またはＳＤメモリカード１５のいずれか選択されている記録媒体に対して優先的に記録される。
【００２２】
また、ＨＤＤ１４またはＳＤメモリカード１５に記録された圧縮静止画データまたは圧縮動画像データの再生時には、ＣＰＵ２５の制御のもと、ＨＤＤ１４またはＳＤメモリカード１５のいずれか選択された記憶媒体から読み出された圧縮静止画像データまたは圧縮動画像データは、ＪＰＥＧ／ＭＰＥＧ圧縮伸張回路１２において伸張処理されて、メモリ１３を介してビデオデコーダ回路１７に出力されて所定のデコード処理が行われてＬＣＤドライバ回路１８よりＬＣＤ１９に静止画、または動画が再生表示されて撮像した画像の確認が行える。
【００２３】
ここで、本実施の形態では、上述の通り、ＨＤＤ１４またはＳＤメモリカード１５のいずれか選択されている記録媒体に対して記録する際、あるいは選択された記録媒体から読み出す際に、選択された記録媒体が結露等の何らかの障害で記録／再生動作が行えない場合に、選択されていない記録媒体に記録／再生を試みるあるいは実行するものである。
【００２４】
次に、図２乃至図７を用いて、デジタルカメラ１における映像あるいは音声の情報を記録する記録先を設定する処理について説明する。図２は、デジタルカメラ１における映像あるいは音声の情報を記録する記録先を設定する処理を示すフローチャート図である。図３乃至図７は、デジタルカメラ１におけるＬＣＤ１９に表示される表示画面の一例を示す図である。
【００２５】
図２に示すように、まず、ユーザによる操作入力部２４のメニューボタンが操作され、ＣＰＵ２５の制御のもと、図３に示す「記録先の設定メニュー」画面がＬＣＤ１９に表示される。更にユーザにより操作入力部２４が操作されることにより「ＨＤＤ」または「ＳＤ」のいずれかの記録媒体が選択され、決定ボタンが操作されると（ステップＳＴ１１）、ＣＰＵ２５は、選択された記録媒体がデジタルカメラ１の図示せぬ挿入部に挿入されているかを判定する（ステップＳＴ１２、ＳＴ１３、ＳＴ２７）。
【００２６】
ＳＴ１１でＨＤＤ１４が選択された時に（ＳＴ１２のＨＤＤ）、図示せぬ挿入部にＨＤＤ１４が挿入されていない場合（ＳＴ１３のＮｏ）、ＣＰＵ２５は、ＬＣＤ１９に、ユーザに対してＨＤＤ１４の挿入を促す旨の通知を表示する（ステップＳＴ１４）。
【００２７】
また、ＨＤＤ１４が挿入されている場合には（ＳＴ１３のＹｅｓ）、ＣＰＵ２５は、結露検出部１６を初めとする図示せぬ各種検出部からの検出信号を確認することにより、ＨＤＤ１４の状態を確認する（ステップＳＴ１５）。尚、内蔵ＨＤＤ１４の場合、ＳＴ１３およびＳＴ１４の処理は不要である。
【００２８】
ＳＴ１５の確認の結果、結露検出部１６等により結露が検出されなかった場合（ステップＳＴ１６のＮｏ）、ＣＰＵ２５は、以降の記録動作時の記録先としてＨＤＤ１４に優先的に記録するようメモリ１３に登録する（ステップＳＴ１７）。ＳＴ１５の確認の結果、結露検出部１６により結露発生が検出されている場合には（ＳＴ１６のＹｅｓ）、ＣＰＵ２５は、図４に示すように、「結露のためＨＤＤに記録できません」との警告メッセージをＬＣＤ１９に表示する（ステップＳＴ１８）。
【００２９】
ＳＴ１８の表示とともに、ＣＰＵ２５は、選択されなかったもう一方の記録媒体（即ちＳＤメモリカード）がデジタルカメラ１の図示せぬ挿入部に挿入されているかを判定する（ステップＳＴ１９）。ＳＴ１９の判定の結果、図示せぬ挿入部にＳＤメモリカードが挿入されていない場合（ＳＴ１９のＮｏ）、ＣＰＵ２５は、記録先を未登録のまま一連の処理を終了する。また、ＳＴ１９の判定の結果、ＳＤメモリカードが挿入されていると判定された場合（ＳＴ１９のＹｅｓ）であっても、カードの異常を検知した場合には（ステップＳＴ２１のＹｅｓ）、ＣＰＵ２５は、記録先を未登録のまま一連の処理を終了する。
【００３０】
一方、ＳＴ１９の判定の結果、ＳＤメモリカードが挿入されていると判定され（ＳＴ１９のＹｅｓ）、カードの異常が検知されなかった場合には（ＳＴ２１のＮｏ）、ＣＰＵ２５は、ＳＤメモリカードの容量を確認し（ステップＳＴ２２）、記録不可能である場合には（ステップＳＴ２３のＮｏ）、ＣＰＵ２５は、記録先を未登録のまま一連の処理を終了する。
【００３１】
ＳＴ２２の確認の結果、記録可能な残容量であった場合には（ＳＴ２３のＹｅｓ）、ＣＰＵ２５は、ＬＣＤ１９に、代わりの記録媒体を記録先に設定するかを問合せる画面を表示する。例えば、図５に示すように、「ＳＤに記録しますか？」との問合わせ画面を表示する（ステップＳＴ２４）。この問合わせ画面に対して、ユーザにより操作入力部２４が操作され、「Ｙｅｓ」または「Ｎｏ」のいずれかが選択され、決定ボタンが操作される。
【００３２】
そして、「Ｎｏ」が選択されると（ステップＳＴ２５のＮｏ）、ＣＰＵ２５は、記録先を未登録のまま一連の処理を終了する。「Ｙｅｓ」が選択されると（ＳＴ２５のＹｅｓ）、ＣＰＵ２５は、以降の記録動作時の記録先としてＳＤメモリカードに優先的に記録するようメモリ１３に登録する（ステップＳＴ２６）。
【００３３】
次に、ＳＴ１１でＳＤメモリカードが選択された時に（ＳＴ１２のＳＤ）、図示せぬ挿入部にＳＤメモリカードが挿入されていない場合（ＳＴ２７のＮｏ）、ＣＰＵ２５は、ＬＣＤ１９に、ユーザに対してＳＤメモリカードの挿入を促す旨の通知を表示する（ステップＳＴ２８）。また、ＳＤメモリカードが挿入されていると判定され（ＳＴ２７のＹｅｓ）、カードの異常が検知されなかった場合には（ＳＴ２９のＮｏ）、ＣＰＵ２５は、以降の記録動作時の記録先としてＳＤメモリカードに優先的に記録するようメモリ１３に登録する（ステップＳＴ２６）。
【００３４】
また、ＳＤメモリカードが挿入されている場合（ＳＴ２７のＹｅｓ）であっても、カードの異常を検知した場合には（ステップＳＴ２９のＹｅｓ）、ＣＰＵ２５は、図６に示すように、「カードエラーが発生しました。ＳＤに記録できません。」との通知をＬＣＤ１９に表示する（ステップＳＴ３０）。
【００３５】
ＳＴ３０の表示とともに、ＣＰＵ２５は、選択されなかったもう一方の記録媒体（即ちＨＤＤ１４）がデジタルカメラ１の図示せぬ挿入部に挿入されているかを判定する（ステップＳＴ３１）。ＳＴ３１の判定の結果、挿入部にＨＤＤ１４が挿入されていない場合（ＳＴ３１のＮｏ）、ＣＰＵ２５は、記録先を未登録のまま一連の処理を終了する。
【００３６】
また、ＳＴ３１の判定の結果、ＨＤＤ１４が挿入されていると判定された場合（ＳＴ３１のＹｅｓ）、ＣＰＵ２５は、結露検出部１６を初めとする図示せぬ各種検出部からの検出信号を確認することにより、ＨＤＤ１４の状態を確認する（ステップＳＴ３２）。尚、内蔵ＨＤＤ１４の場合、ＳＴ３１の処理は不要である。
【００３７】
ＳＴ３２の確認の結果、結露検出部１６により結露発生が検出されている場合には（ＳＴ３３のＹｅｓ）、ＣＰＵ２５は、記録先を未登録のまま一連の処理を終了する。ＳＴ３２の確認の結果、結露検出部１６等により結露が検出されなかった場合（ステップＳＴ３３のＮｏ）、ＣＰＵ２５は、ＨＤＤ１４の容量を確認し（ステップＳＴ３４）、記録不可能である場合には（ステップＳＴ３５のＮｏ）、ＣＰＵ２５は、記録先を未登録のまま一連の処理を終了する。
【００３８】
ＳＴ３４の確認の結果、記録可能な残容量であった場合には（ＳＴ３５のＹｅｓ）、ＣＰＵ２５は、ＬＣＤ１９に、代わりの記録媒体を記録先に設定するかを問合せる画面を表示する。例えば、図７に示すように、「ＨＤＤに記録しますか？」との問合わせ画面を表示する（ステップＳＴ３６）。この問合わせ画面に対して、ユーザにより操作入力部２４が操作され、「Ｙｅｓ」または「Ｎｏ」のいずれかが選択され、決定ボタンが操作される。
【００３９】
そして、「Ｎｏ」が選択されると（ステップＳＴ３７のＮｏ）、ＣＰＵ２５は、記録先を未登録のまま一連の処理を終了する。「Ｙｅｓ」が選択されると（ＳＴ３７のＹｅｓ）、ＣＰＵ２５は、以降の記録動作時の記録先としてＨＤＤ１４に優先的に記録するようメモリ１３に登録する（ステップＳＴ１７）。
【００４０】
このように、選択された記録媒体に映像あるいは音声の情報を記録するデジタルカメラにおいて、記録先として選択された記録媒体が結露等の障害により記録できない状態であった場合には、記録できない理由をユーザに明示することにより、結露等の復帰可能な理由の場合にはユーザに対して環境が変われば使用可能であることを理解させ、その他復帰不可能な理由の場合には環境が変わっても使用できない旨を理解させることができる。
【００４１】
また、代わりの記録先として、選択されなかった記録媒体の状態を確認し、記録可能な場合には、ユーザに記録先として代わりに設定するかを問い合わせ、ユーザからの指示により記録先として設定（登録）、あるいは設定処理を終了することとしている。従って、代替記録媒体をユーザに対して提示することで、ユーザからの指示を無駄にすることなく、ユーザの意向に沿った記録先の設定（登録）を行うことが可能となる。
【００４２】
次に、図８乃至図１４を用いて、デジタルカメラ１において撮像された映像あるいは音声の情報を、ＨＤＤ１４あるいはＳＤメモリカード１５へ記録あるいはＨＤＤ１４あるいはＳＤメモリカード１５から再生するための情報処理方法について説明する。
【００４３】
まず、図８のフローチャート図を用いて、デジタルカメラ１において登録された記録先に映像あるいは音声の情報を記録する処理について説明する。尚、図２に示すフローチャート図と同様の処理については同じステップ番号を付与し、簡略な説明とする。
【００４４】
上述したように、静止画像あるいは動画像が記録され、記録媒体に記録する必要が生じると、ＣＰＵ２５は、図８に示すように、メモリ１３に記録先として登録されている記録媒体を確認する（ステップＳＴ４１）。
【００４５】
メモリ１３に記録先としてＨＤＤ１４が登録されていた場合には(ＳＴ１２のＨＤＤ)、ＣＰＵ２５は、図２で説明したように、ＨＤＤ１４が挿入されていないと判定すると（ＳＴ１３のＮｏ）、ＨＤＤ１４の挿入を促す表示を行い（ＳＴ１４）、ＨＤＤ１４が挿入されていれば（ＳＴ１３のＹｅｓ）、結露検出部１６の検出信号を確認し（ＳＴ１５）、結露が検出されていなければ（ＳＴ１６のＮｏ）、図８に戻り、記録先に設定されている通り、ＨＤＤ１４に対して映像あるいは音声の情報を記録する（ステップＳＴ４２）。
【００４６】
一方、ＣＰＵ２５は、結露が検出された場合（ＳＴ１６のＹｅｓ）、図４に示すように、「結露のためＨＤＤに記録できません」との警告メッセージをＬＣＤ１９に表示する（ＳＴ１８）。また、ＳＴ１８の表示とともに、ＣＰＵ２５は、記録先として登録されていないもう一方の記録媒体（即ちＳＤメモリカード）の挿入の有無（ＳＴ１９）、正常か（ＳＴ２１）、記憶容量の確認（ＳＴ２２）を行う。
【００４７】
ここで、ＳＤメモリカードが挿入されており正常と判定され（ＳＴ１９のＹｅｓ、ＳＴ２１のＮｏ）、記録可能な残容量があると判定されると（ＳＴ２３のＹｅｓ）、ＣＰＵ２５は、図５に示すように、「ＳＤに記録しますか？」との問合わせ画面をＬＣＤ１９に表示する（ＳＴ２４）。この問合せ画面にて「Ｙｅｓ」が選択されると（ＳＴ２５のＹｅｓ）、図８に戻り、ＳＤメモリカードに対して映像あるいは音声の情報を記録する（ステップＳＴ４３）。
【００４８】
また、ＳＤメモリカードが挿入されていない場合（ＳＴ１９のＮｏ）、挿入されているものの異常と判定された場合（ＳＴ２１のＹｅｓ）、記憶不可能な容量と判定された場合（ＳＴ２３のＮｏ）、問合せ画面にて「Ｎｏ」が選択された場合（ＳＴ２５のＮｏ）、ＣＰＵ２５は、撮影した映像あるいは音声の情報を記録しないまま、一連の記録動作を終了する。
【００４９】
メモリ１３に記録先としてＳＤメモリカードが登録されていた場合には(ＳＴ１２のＳＤ)、ＣＰＵ２５は、図２で説明したように、ＳＤメモリカードが挿入されていないと判定すると（ＳＴ２７のＮｏ）、ＳＤの挿入を促す表示を行い（ＳＴ２８）、ＳＤメモリカードが挿入されており（ＳＴ２７のＹｅｓ）、正常と判定されると（ＳＴ２９のＮｏ）、図８に戻り、記録先に設定されている通り、ＳＤメモリカードに対して映像あるいは音声の情報を記録する（ステップＳＴ４３）。
【００５０】
一方、ＣＰＵ２５は、カード異常が検出された場合（ＳＴ２９のＹｅｓ）、図６に示すように、カードエラーのためＳＤを再生できない旨を示す表示を行う（ＳＴ３０）。この表示と共に、ＣＰＵ２５は、記録先として登録されていないもう一方の記録媒体（即ちＨＤＤ１４）の挿入の有無（ＳＴ３１）、状態確認（ＳＴ３２）、記憶容量の確認（ＳＴ３４）を行う。
【００５１】
ここで、ＨＤＤ１４が挿入されており結露等検知されず正常と判定され（ＳＴ３１のＹｅｓ、ＳＴ３３のＮｏ）、記録可能な残容量があると判定されると（ＳＴ３５のＹｅｓ）、ＣＰＵ２５は、図７に示すように、「ＨＤＤに記録しますか？」との問合わせ画面をＬＣＤ１９に表示する（ＳＴ３６）。この問合せ画面にて「Ｙｅｓ」が選択されると（ＳＴ３７のＹｅｓ）、図８に戻り、ＨＤＤ１４に対して映像あるいは音声の情報を記録する（ステップＳＴ４２）。
【００５２】
また、ＨＤＤ１４が挿入されていない場合（ＳＴ３１のＮｏ）、挿入されているものの結露が検知された場合（ＳＴ３３のＹｅｓ）、記憶不可能な容量と判定された場合（ＳＴ３５のＮｏ）、問合せ画面にて「Ｎｏ」が選択された場合（ＳＴ３７のＮｏ）、ＣＰＵ２５は、撮影した映像あるいは音声の情報を記録しないまま、一連の記録動作を終了する。
【００５３】
次に、図９乃至図１４を用いて、デジタルカメラ１において記録された映像あるいは音声の情報を再生する処理について説明する。図９は、デジタルカメラ１において記録された映像あるいは音声の情報を再生する処理を示すフローチャート図である。図１０乃至図１４は、デジタルカメラ１におけるＬＣＤ１９に表示される表示画面の一例を示す図である。尚、図２に示すフローチャート図と同様の処理については同じステップ番号を付与し、簡略な説明とする。
【００５４】
図９に示すように、まず、ユーザによる操作入力部２４のメニューボタンが操作され、ＣＰＵ２５の制御のもと、図１０に示す「再生先の設定メニュー」画面がＬＣＤ１９に表示される。更にユーザにより操作入力部２４が操作されることにより「ＨＤＤ」または「ＳＤ」のいずれかの記録媒体が選択され、決定ボタンが操作されると（ステップＳＴ５１）、ＣＰＵ２５は、選択された記録媒体がデジタルカメラ１の図示せぬ挿入部に挿入されているかを判定する（ＳＴ１２、ＳＴ１３、ＳＴ２７）。
【００５５】
ＳＴ５１でＨＤＤ１４が選択された時に（ＳＴ１２のＨＤＤ）、ＣＰＵ２５は、図２で説明したように、ＨＤＤ１４の挿入を判定し、挿入されていないと判定すると（ＳＴ１３のＮｏ）、ＨＤＤ１４の挿入を促す表示を行い（ＳＴ１４）、ＨＤＤ１４が挿入されていれば（ＳＴ１３のＹｅｓ）、結露検出部１６の検出信号を確認し（ＳＴ１５）、結露が検出されていなければ（ＳＴ１６のＮｏ）、図９に戻り、再生先として選択された通り、ＨＤＤ１４から映像あるいは音声の情報の再生を実施する（ステップＳＴ５２）。
【００５６】
一方、ＣＰＵ２５は、ＳＴ１５の確認の結果、結露が検出された場合（ＳＴ１６のＹｅｓ）、図１１に示すように、「結露のためＨＤＤを再生できません」との警告メッセージをＬＣＤ１９に表示する（ステップＳＴ５３）。この表示とともに、ＣＰＵ２５は、再生先として選択されていないもう一方の記録媒体（即ちＳＤメモリカード）の挿入の有無（ＳＴ１９）、正常か（ＳＴ２１）を確認する。
【００５７】
ここで、ＳＤメモリカードが挿入されており正常と判定され（ＳＴ１９のＹｅｓ、ＳＴ２１のＮｏ）、ＣＰＵ２５は、ＳＤメモリカードに再生対象となる情報が記録されているかを確認する（ステップＳＴ５４）。この確認の結果、再生対象となる情報が記憶されていると確認されると（ＳＴ５５のＹｅｓ）、ＣＰＵ２５は、ＬＣＤ１９に、代わりの記録媒体を再生先として設定するかを問合せる画面を表示する。例えば、図１２に示すように、「ＳＤを再生しますか？」との問合わせ画面を表示する（ステップＳＴ５６）。
【００５８】
この問合わせ画面に対して、ユーザにより操作入力部２４が操作され、「Ｙｅｓ」または「Ｎｏ」のいずれかが選択され、決定ボタンが操作される。そして、「Ｙｅｓ」が選択されると（ＳＴ５７のＹｅｓ）、ＣＰＵ２５は、再生先としてＳＤメモリカードから映像あるいは音声の情報の再生を実施する（ステップＳＴ５８）。
【００５９】
また、ＳＤメモリカードが挿入されていない場合（ＳＴ１９のＮｏ）、挿入されているものの異常と判定された場合（ＳＴ２１のＹｅｓ）、再生対象となる情報がないと判定された場合（ＳＴ５５のＮｏ）、問合せ画面にて「Ｎｏ」が選択された場合（ＳＴ２５のＮｏ）、ＣＰＵ２５は、再生先を選択できず、再生を実行しないまま一連の処理を終了する。
【００６０】
次に、ＳＴ１１でＳＤメモリカードが選択された時に（ＳＴ１２のＳＤ）、ＣＰＵ２５は、図２で説明したように、ＳＤメモリカードの挿入を判定し、挿入されていないと判定すると（ＳＴ２７のＮｏ）、ＳＤの挿入を促す表示を行い（ＳＴ２８）、ＳＤメモリカードが挿入されており（ＳＴ２７のＹｅｓ）、正常と判定されると（ＳＴ２９のＮｏ）、図８に戻り、再生先としてＳＤメモリカードから映像あるいは音声の情報の再生を実施する（ステップＳＴ５８）。
【００６１】
一方、ＣＰＵ２５は、カード異常が検出された場合（ＳＴ２９のＹｅｓ）、図１３に示すように、「カードエラーが発生しました。ＳＤを再生できません。」との通知をＬＣＤ１９に表示する（ステップＳＴ６１）。この表示と共に、ＣＰＵ２５は、再生先として選択されていないもう一方の記録媒体（即ちＨＤＤ）の挿入の有無（ＳＴ３１）、状態確認（ＳＴ３２）を行う。
【００６２】
ここで、ＨＤＤ１４が挿入されており結露等検知されず正常と判定され（ＳＴ３１のＹｅｓ、ＳＴ３３のＮｏ）、ＣＰＵ２５は、ＨＤＤ１４に再生対象となる情報が記録されているかを確認する（ステップＳＴ６２）。この確認の結果、再生対象となる情報が記憶されていると確認されると（ＳＴ６３のＹｅｓ）、ＣＰＵ２５は、ＬＣＤ１９に、代わりの記録媒体を再生先として設定するかを問合せる画面を表示する。例えば、図１４に示すように、「ＨＤＤを再生しますか？」との問合わせ画面を表示する（ステップＳＴ６４）。
【００６３】
この問合わせ画面に対して、ユーザにより操作入力部２４が操作され、「Ｙｅｓ」または「Ｎｏ」のいずれかが選択され、決定ボタンが操作される。そして、「Ｙｅｓ」が選択されると（ＳＴ６５のＹｅｓ）、ＣＰＵ２５は、再生先としてＨＤＤ１４から映像あるいは音声の情報の再生を実施する（ステップＳＴ５２）。
【００６４】
また、ＨＤＤ１４が挿入されていない場合（ＳＴ３１のＮｏ）、ＨＤＤ１４が挿入されているものの結露が検知された場合（ＳＴ３３のＹｅｓ）、再生対象となる情報がないと判定された場合（ＳＴ６３のＮｏ）、問合せ画面にて「Ｎｏ」が選択された場合（ＳＴ６５のＮｏ）、ＣＰＵ２５は、再生先を選択できず、再生を実行しないまま一連の処理を終了する。
【００６５】
このように、選択された記録媒体に映像あるいは音声の情報を記録再生するデジタルカメラにおいて、記録／再生先として選択（登録）された記録媒体が結露等の理由により記録・再生等の情報処理を出来ない状態であった場合には、できない理由をユーザに明示することにより、結露等の復帰可能な理由の場合にはユーザに対して環境が変われば使用可能であることを理解させ、その他復帰不可能な理由の場合には環境が変わっても使用できない旨を理解させることができる。
【００６６】
また、代わりの記録／再生先として、選択されなかった記録媒体の状態を確認し、情報処理可能な場合には、ユーザに記録／再生先として代わりに記録あるいは再生を実行するかを問い合わせ、ユーザからの指示により記録あるいは再生の情報処理を行うようにしている。従って、代替記録媒体をユーザに対して提示することで、撮影した映像あるいは音声を無駄にすることなく、またユーザからの再生の指示を無駄にすることなく、ユーザの意向に沿った記録を行うことが可能となる。
【図面の簡単な説明】
【００６７】
【図１】本発明に係る撮像装置としてのデジタルカメラ１の全体構成の一例を示すブロック図。
【図２】デジタルカメラ１における映像あるいは音声の情報を記録する記録先を設定する処理を示すフローチャート図。
【図３】デジタルカメラ１におけるＬＣＤ１９に表示される表示画面の一例を示す図。
【図４】デジタルカメラ１におけるＬＣＤ１９に表示される表示画面の一例を示す図。
【図５】デジタルカメラ１におけるＬＣＤ１９に表示される表示画面の一例を示す図。
【図６】デジタルカメラ１におけるＬＣＤ１９に表示される表示画面の一例を示す図。
【図７】デジタルカメラ１におけるＬＣＤ１９に表示される表示画面の一例を示す図。
【図８】デジタルカメラ１において設定された記録先に映像あるいは音声の情報を記録する処理を示すフローチャート図。
【図９】デジタルカメラ１において記録された映像あるいは音声の情報を再生する処理を示すフローチャート図。
【図１０】デジタルカメラ１におけるＬＣＤ１９に表示される表示画面の一例を示す図。
【図１１】デジタルカメラ１におけるＬＣＤ１９に表示される表示画面の一例を示す図。
【図１２】デジタルカメラ１におけるＬＣＤ１９に表示される表示画面の一例を示す図。
【図１３】デジタルカメラ１におけるＬＣＤ１９に表示される表示画面の一例を示す図。
【図１４】デジタルカメラ１におけるＬＣＤ１９に表示される表示画面の一例を示す図。
【符号の説明】
【００６８】
１    デジタルカメラ
１１    カメラ信号処理回路
１２    ＪＰＥＧ／ＭＰＥＧ圧縮伸張回路
１３    メモリ
１４    ＨＤＤ
１５    ＳＤメモリカード
１６    結露検出部
１９    ＬＣＤ
２４    操作入力部
２５    ＣＰＵ
【図１】
2006094230.tif 000003
【図２】
2006094230.tif 000004
【図３】
2006094230.tif 000005
【図４】
2006094230.tif 000006
【図５】
2006094230.tif 000007
【図６】
2006094230.tif 000008
【図７】
2006094230.tif 000009
【図８】
2006094230.tif 000010
【図９】
2006094230.tif 000011
【図１０】
2006094230.tif 000012
【図１１】
2006094230.tif 000013
【図１２】
2006094230.tif 000014
【図１３】
2006094230.tif 000015
【図１４】
2006094230.tif 000016